(57)【要約】  【解決手段】  水および液体一般を濾過するための濾過装置（１）は、濾過される水を集めるための第１の貯槽（８）と、前記濾過された水を集めるための第２の貯槽（１２）であって、この貯槽（１２）は、前記第１の貯槽（８）から落下することによって供給されるものと、前記第１の貯槽（８）から前記第２の貯槽内に延びる導管（１０）と、前記導管（１０）内に取外し可能に受けられるカートリッジタイプの濾過部材（１１）と、前記導管（１０）と前記第２の貯槽（１２）との間に位置される濾過された水のための流出孔（２２ａ、３１）と、その取外しを促進するために前記第１の貯槽（８）から末端である導管（１０）の終端部に設けられる前記カートリッジに対するアクセスのための少なくとも１つの開口（１５）とを有する。この装置は、前記カートリッジに対するアクセスのための開口（１５）の領域内において、前記導管（１０）に取外し可能に嵌めることができる少なくとも部分的な閉止蓋を有し、さらに、前記流出孔（２２ａ、３１）を介して第１の貯槽（８）から第２の貯槽（１２）への水量を調節するために前記導管（１０）と協働する流量調節器を有する。【選択図】図１
2008542005.tif 000002
【特許請求の範囲】
【請求項１】
濾過される水を集めるための第１の貯槽（８）と、
その濾過された水を集めるための第２の貯槽（１２）であって、この貯槽（１２）は、前記第1の貯槽（８）から落下することにより供給されるものと、
前記第１の貯槽（８）から第２の貯槽内に延びる導管（１０）と、
その導管（１０）内に取外し可能に受けられるカートリッジタイプの濾過部材（１１）と、
前記導管（１０）と第２の貯槽（１２）との間に位置する濾過された水のための流出孔（２２ａ、３１）とを有してなり、
前記導管（１０）は、前記第１の貯槽（８）からの遠端であって、その取外しを促進するために、前記カートリッジに対するアクセスのための少なくとも１つの開口（１５）を有し、前記カートリッジに対するアクセスのための開口（５）の領域内の導管（１０）に取外し可能に嵌めることができる、少なくとも部分的な閉止蓋を有し、さらにそれが第１の貯槽から流出孔（２２ａ、３１）を介して前記第２の貯槽（１２）に流れる水の流量を調節するために、導管（１０）と協働している流量調節器を有することを特徴とする、水および液体一般を濾過するための濾過装置（１）。
【請求項２】
前記流量調節器は、それが、第２の貯槽（１２）の水位高さの変化の影響によって前記カートリッジから流出している水の逆圧力における変化を最小にするようなものである請求項１記載の濾過装置。
【請求項３】
前記流量調節器は、前記流出孔（２２ａ、３１）が、前記第２の貯槽（１２）の水位高さに本質的に依存しないカートリッジからの出口で逆圧力を決定するように、前記カートリッジからの水の流出に関して第１の貯槽（８）に近いように、前記カートリッジから流出され、かつ、流出孔に向って指向されている水のための上向きの進行の限界を定めるための手段を有する請求項１または２記載の濾過装置。
【請求項４】
前記限界を定める手段は、前記進行が、前記導管とカートリッジとの間にその導管の内部で規定されるように、導管（１０）に関連して位置される請求項１〜３のうちのいずれか１項記載の濾過装置。
【請求項５】
前記限界を定める手段は、前記進行が、前記導管とこの導管（１０）に嵌められるビーカー状の構造（２０）との間にその導管の外部で規定されるように、導管に関連して位置される請求項１〜３のうちのいずれか１項記載の濾過装置。
【請求項６】
前記ビーカー状の構造（２０）は、前記導管（１０）から取外すことができ、かつ、その導管（１０）の閉止蓋を構成する請求項５記載の濾過装置。
【請求項７】
前記ビーカー状の構造（２０）は、前記導管（１０）の軸方向における調整可能な方法で位置決めされる請求項５または６記載の濾過装置。
【請求項８】
前記ビーカー状の構造（２０）は、前記導管（１０）に阻止部をもって嵌められる請求項５、６または７記載の濾過装置。
【請求項９】
前記ビーカー状の構造（２０）は、前記導管（１０）にねじでとめられる請求項７記載の濾過装置。
【請求項１０】
前記ビーカー状の構造（２０）は、前記導管（１０）にスナップ係合で取付けられる請求項５または６記載の濾過装置。
【請求項１１】
前記ビーカー状の構造（２０）は、前記基部（２１）に関して調整可能な方法で延びることができる外表面（２２）を有する請求項５または６に記載の濾過装置。
【請求項１２】
前記流量調節器は、前記孔（３１）を調節して閉止するための手段を有する請求項１から４のいずれか１項記載の濾過装置。
【請求項１３】
前記閉止手段は、前記孔（３１）の断面を調節するための手段を有する請求項１２記載の濾過装置。
【請求項１４】
前記調節手段は、前記孔（３１）内に取外し可能に挿入することができるストッパ（３３、３３´）に嵌るように調整された孔を有するタイプである請求項１３に記載の濾過装置。
【請求項１５】
前記閉止手段は、調節可能な断面を有し、かつ、前記孔（３１）内に挿入されるシャッタ（３５）を有する請求項１２記載の濾過装置。
【請求項１６】
前記閉止手段は、少なくとも１つの補助孔（４０）と、この孔（４０）を遮断するための手段（４１）とを有する請求項１３記載の濾過装置。
【請求項１７】
前記補助孔（４０）を遮断するための手段は、水位タイプであって、かつ、第２の貯槽（１２）の水位高さが増加するにつれて前記孔（４０）を解放することができる請求項１６記載の濾過装置。
【請求項１８】
前記遮断する手段は、フロートタイプ（４４）である請求項１７記載の濾過装置。
【発明の詳細な説明】
【技術分野】
【０００１】
この発明は、メインクレームの前文に記述された特徴を有する水および液体一般を濾過するための濾過装置に関する。
【背景技術】
【０００２】
このような装置は、国内の水準で、市水と比較して改良された化学的特性（塩分、硬度など）および感覚受容性特性の両方を有する飲料水を供給するそれらの容量のために、市場において知られ、かつ普及している。
【０００３】
そのような装置の代表例は、同一出願人からのＷＯ９６１３３１８に記述されている。
【０００４】
そこに記述された濾過装置は、活性炭とイオン交換とを備えた濾過部材を有する濾過カートリッジを流過して、重力による濾過を有する水差しに関するタイプであり、上部容器内に導入された水は、下部容器内にゆっくり通過する。
【０００５】
カートリッジの濾過する効果は、様々な要因に依存しており、その中で、濾過する手段と濾過される水との間の接触時間が、明白な重要性を有している。カートリッジ内への水の通過は、重力によって引き起こされ、したがって、単位時間中の流速として理解される流量は、そのカートリッジの上流および下流の圧力差にしたがって変化し、それは、次には、濾過される水を集めるための上部容器における水位と、下部容器における濾過された水の水位との両方に依存する。
【０００６】
したがって、濾過された水は、濾過する段階中に変化可能な特性を有している。
【０００７】
濾過する水差しは、その市場において知られており、そこではその濾過カートリッジを受ける導管は、底部で閉じており、さらに上部容器の近くに位置する濾過された水のための流出開口部を有する。このように、濾過された水の流量における下部容器の充填の程度の影響は、ほぼ釣り合う。
【０００８】
しかしながら、この解決は、いくつかの明白な不具合を有している。第１の不具合は、下部容器の徐々の充填は、濾過された水のための流出開口における流量に影響を及ぼさないけれども、その流量は、上部容器における変化する水位に関して不規則であり、かつ一定でない。さらに、カートリッジを受けるための導管は、それの交換中に、使用されたカートリッジの取外しを容易にするために、下方からアクセス可能ではない。したがって、それが把持されて取外されることを可能にする、上部容器内に突出するカートリッジ部分のための構造および形状を備えることが必要であり、それはカートリッジの全体的な構成を決定するのに加えて、その大きさや、他のメーカーからのカートリッジとの互換性に影響を及ぼす。
【０００９】
その他の不具合は、濾過装置のメンテナンス中にカートリッジを受けるための座の清浄の困難性にある。この導管は、底部で閉じているので、それは同様にアクセスすることが困難である。
【００１０】
その他の不具合は、濾過する流量を規制する可能性に関係がある。それは、例えば、硬度パラメータあるいは感覚受容性の条件にしたがって流量を適応させるために必要である。例えば、夏時間中に、水は、塩素の匂いが強くなるし、その中和化は、冬時間中におけるその必要性よりも長い濾過時間を要求することがある。
【発明の開示】
【発明が解決しようとする課題】
【００１１】
この発明によって取り組まれた技術的問題は、水および液体一般を濾過するための濾過装置を提供することであり、この装置は、引用された先行技術に関して記述された不具合を克服するように構造的に、かつ機能的に改良される。
【課題を解決するための手段】
【００１２】
この問題は、水および液体一般を濾過するための濾過装置を有する発明によって解決され、この装置は、付加された請求項によって構成される。
【００１３】
この発明の特徴および利点は、以下の付加された図面に関して、単に限定していない例によって、その例証された好ましい限定していない実施例のうちの次のようないくつかの詳細な記述からより一層よく理解される。  
【発明を実施するための最良の実施形態】
【００１４】
図において、この発明の第１の実施例による濾過装置は、普通に１と示されている。
【００１５】
この濾過装置１は、水差し状の形状であるが、同様に、この発明は、茶、コーヒーおよびその他同種のもののような煎じ液を用意するための装置に適応することができる。  この装置１は、ハンドル３を具備しており、さらに蓋４によって上方部において閉じられている容器２を有する。同様に、この蓋は、注ぐ間、開放可能な方式で、注いでいる注ぎ口を自動的に閉じるスプリング偏倚されるフラップ５を備えている。
【００１６】
入れ物７は、容器２の内部に嵌められ、流出導管１０が開口している底部９に、濾過される水を集めるための第１の貯槽８を規定するように、その口部に固定される。濾過カートリッジ１１は、導管１０内に取外し可能に配置される。容器２の残りの部分は、濾過された水を集めるための第２の貯槽１２を規定する。上述した部材の位置決めは、濾過カートリッジ１１内に収容されている濾過材料を介して導管１０を通って通過し、第１の貯槽８内に導入された水が、第２の貯槽１２内に重力によって流れるようなものである。
【００１７】
上述された詳細は、すべて、この発明のそれぞれの中にあり、また、したがって、同一の参照数字によって示されている。
【００１８】
図１および２の実施例に特に関連して、導管１０は、基部１４に向ってわずかに先細り傾斜される外表面１３を有する。
【００１９】
この外表面１３および基部１４内には、導管１０がその範囲全体にわたって清浄にすることができるのと同様に、濾過された水を流出するため、かつ、一旦使用されたそれの取外しを容易にするために導管１０内に受けられたカートリッジ部分１１に対するアクセスを容易にするため、の両方に役立つ流出開口１５が形成される。          
閉じた基部２１および外表面２２を有するビーカー状の構造２０は、より非常に詳しく以下に説明されるとともに、その部分的な閉止蓋を構成するように、流出開口１５の領域における導管１０の外部に嵌められる。ビーカー状の構造２０と開口１５との間の相対的位置は、第２の貯槽１２内に導入されるために、カートリッジから、または流出開口１５の下部部分から流出される濾過された水が、ビーカー状の構造２０内において増量し、さらに、外表面２２と導管１０との間に規定される流出孔２２ａを介してそこからオーバーフローしなければならないものである。したがって、ビーカー状の構造２０は、第２の貯槽における水位高さにおける変化の影響を受けるカートリッジから流出されている水の逆圧力（counter-pressure）における変化を最小にするために、第１の貯槽から第２まで流れる水のための流量調整器を構成する。この結果は、ビーカー状の構造２０と導管１０との間に、カートリッジ１１から流出されている水のための上向きの進行の限界を定められ、さらに、流出孔２２ａが、第２の貯槽における水位高さには本質的に依存しないカートリッジからの出口において逆圧力を決定するように、カートリッジからの水の流出に関して  第１の貯槽に接近しているように、流出孔に指向することにより得られる。
【００２０】
ビーカー状の構造は、一旦その濾過する容量が使用されてしまうと、それが清浄にされ、かつそのカートリッジの取外しを容易にするために、導管１０の外表面に取外し可能に固定される。様々な取外し可能な固定手段が、思い描かれる。第１の例は、外表面２２の下部部分２３と導管１０の対応する外部部分との間の僅かな阻止部との結合によって構成され、それに嵌められる。代りに、それぞれの他の表面上で接続面の１つおよびまたは他のものにおける歯２４ａとそれぞれの他の面における各突部２４ｂとのスナップタイプの接続（図５ａ参照）が設けられる。その他の代案（図５ｂ参照）においては、調整可能なネジ接続を設けるために、それぞれのねじおよびナット２４ｃを設けるべき接続面のための備えがある。
【００２１】
なお、流量を調節する目的で、さらに、その上方範囲を拡張するために外表面上を入れ子式に滑ることができる１つまたはそれ以上の雄ネジ接続を備えるビーカー２０の外表面のための備えがある。              
外部の部分２３は、複数の軸方向に延びる凹部２５によって影響され、それは濾過された水の通過のための通路を形成するように外方に突出する。そのために、ビーカー状構造の基部２１の領域内に、放射状に内方に突出し、かつ、導管１０に対するビーカー状構造の適合を制限するフィン２６が形成される。
【００２２】
濾過装置１の動作は、以下のとおりである。第１の貯槽８内に水を導入することは、カートリッジ１１の濾過材料を介して第２の貯槽１２に向って、重力によってその流れを引き起こす。カートリッジ１１の入口における水の圧力は、第１の貯槽における水位高さにしたがって変化する。しかしながら、カートリッジからの流出圧は、一旦導管１０およびビーカー状構造が満ちると、濾過動作中は一定のままである。導管１０に沿うビーカー状構造２０の位置を変化することによって、その圧力は、望まれるように調節することができる。
【００２３】
この発明の第２の実施例において、導管１０は、基部１４において開口し、ストッパ３０によって取外し可能に閉じられており、また、流出孔は、ストッパ３０から軸方向に離れ、かつ第１の貯槽８に近接する位置における導管１０の外表面内における孔３１によって構成される。その場合、その進行が導管１０の内部で規定されるように、カートリッジから流出され、かつ、流出孔に向って指向される水の上向きの進行は、導管１０とカートリッジ１１との間に範囲を制限される。
【００２４】
この場合、調節して流出孔を閉じるための手段を有する流量調整器が、さらに設けられる。図６−１０の実施例において、これらの閉止手段は、流出孔の断面を調節するための手段を有し、この手段は、交互に孔３１の中で取代え可能なやり方で、交互に挿入され、さらに、各々異径の、正確に調整された孔３４、３４´を有する、１つまたはそれ以上のストッパ３３、３３´を有する。この場合の流出孔は、上述した正確に調整された孔によって規定され、調節される。
【００２５】
図１１の場合には、流出孔の断面を調節するための手段が、調整可能な断面を有しており、さらに孔３１内に挿入されるシャッタ３５によって構成される。その場合、シャッタ３５は、順番に、孔３１内に嵌められ、かつ内部にねじを切られたスリーブ３６を有し、さらにはその中でストッパ３７がねじで留められ、したがって、次第に調節して導入することができ、そのストッパ３７には、調整可能な流出孔を構成する通路３８が形成される。ストッパ３７が、スリーブ３５内にねじで留められる範囲を変えることは、その結果として、流出孔を変化する。両方の場合において、取外し可能なストッパ３０の代りに、導管１０は、ほぼ連続する壁１４によって底部で閉じられることが可能である。
【００２６】
図１２に概略的に例証されたこの発明の他の変形において、閉止手段は、４０で示された少なくとも１つの補助流出孔と、４１で示された孔を遮断するための手段とを有する。その場合における補助孔は、先行する実施例に示されたように、または導管自体の底壁によって、閉じられているか、または取外し可能なストッパ３０´（図１２）を有する導管１０の底部に位置する。主流出孔を規定する孔３１も、その壁か、またはその孔がその他の場所に構成することができるところに形成することができる。
【００２７】
補助孔を遮断するための手段４１は、水位タイプが好適であり、それは、通常は、閉じ、そして第２の貯槽における水位高さが増加するにつれて、孔４０を開放することができる。そのような手段の一例は、フロート４４に対するロッド状の軸体４３によって接続されるシャッタ４２を備える。それがカートリッジ１１に向って上昇するので、フロート４４が補助孔４０を遮断することを防ぐために、１つまたはそれ以上のスペーサ４５が孔４０の孔の周囲に設けられる。ロッド状の軸体４３の長さを変えることによって、どのように第２の貯槽１２の中に存在する液位に関して補助孔４０の大きさを変えることが可能であるかを、注意することは有益である。
【００２８】
この発明は、それによって多くの利点に結びついて提起された問題を解決する。
【００２９】
第１に、両方の貯槽の充満する状態における変化に関して流速の決定的な安定化が得られる。さらに下から加圧すること、それはカートリッジの構造がこの観点から決定されるべきでないことを可能にするもので、それによって導管からカートリッジを取り出すことが可能である。第三に、導管は、濾過装置の衛生の点からの利点を備えた全体範囲に関して容易に清浄にすることができる。さらに、濾過の間に水の流量を調節することは、その動作のための最適の結果を保証することを可能にする。
【図面の簡単な説明】
【００３０】
【図１】この発明の第１の実施例による濾過装置の縦断面であり、この装置は、水差しに合体されている。
【図２】図１の水差しの部分的に分解された図である。
【図３】図１の水差しの詳細部分の斜視平面図である。
【図４】図３の詳細部分の断面図である。
【図５】図３の詳細部分の縦断面図である。図５ａおよび図５ｂは、それぞれ図１の水差しの構造的変形の倍尺に描かれた図である。
【図６】この発明の他の実施例による濾過装置の部分的に分解した縦断面図であり、この装置は水差しに合体されている。
【図７】図６の水差しの詳細部分の倍尺に描かれた側面図である。
【図８】図６の水差しの詳細部分の倍尺に描かれた正面図である。
【図９】そこに示された詳細部分の異なる構造の図７に近似している図である。
【図１０】そこに示された詳細部分の異なる構造の図８に近似している図である。
【図１１】図７の詳細の他の変形の倍尺に描かれた斜視図である。
【図１２】この発明による装置の異なる構造の倍尺に描かれた概略図である。
【図１】
2008542005.tif 000003
【図２】
2008542005.tif 000004
【図３】
2008542005.tif 000005
【図４】
2008542005.tif 000006
【図５】
2008542005.tif 000007
【図６】
2008542005.tif 000008
【図７】
2008542005.tif 000009
【図８】
2008542005.tif 000010
【図９】
2008542005.tif 000011
【図１０】
2008542005.tif 000012
【図１１】
2008542005.tif 000013
【図１２】
2008542005.tif 000014
【図１３】
2008542005.tif 000015
【図１４】
2008542005.tif 000016
【図１５】
2008542005.tif 000017
【図１６】
2008542005.tif 000018
【国際調査報告】
2008542005.tif 000019
2008542005.tif 000020